(57)【要約】【課題】サムネイルを含む一覧画面における一覧性と、表示させる表示データの選択操作の操作性とを向上させた表示装置を提供すること。【解決手段】表示データを特定する特定情報と、前記表示データのサムネイルとを取得する取得手段と、表示させる表示データを利用者に選択させる一覧画像を表示する表示手段とを備えた表示装置において、前記特定情報を前記表示手段に一覧表示する所定数の表示データを決定する表示データ決定手段と、前記表示データ決定手段により決定した所定数の表示データのうちサムネイル表示を行う表示データを、前記所定数より少ない既定数以下の数だけ決定するサムネイル表示決定手段と、前記表示データ決定手段により決定した前記所定数の表示データの特定情報の一覧と、前記サムネイル表示決定手段により決定した前記既定数以下の数の表示データのサムネイルの一覧とを含む一覧画像を前記表示手段に表示する表示制御手段とを備える。【選択図】図３
2011159021.tif 000002
【特許請求の範囲】
【請求項１】
表示データを特定する特定情報と、前記表示データのサムネイルとを取得する取得手段と、
表示させる表示データを利用者に選択させる一覧画像を表示する表示手段と、
を備えた表示装置において、
前記特定情報を前記表示手段に一覧表示する所定数の表示データを決定する表示データ決定手段と、
前記表示データ決定手段により決定した所定数の表示データのうちサムネイル表示を行う表示データを、前記所定数より少ない既定数以下の数だけ決定するサムネイル表示決定手段と、
前記表示データ決定手段により決定した前記所定数の表示データの特定情報の一覧と、前記サムネイル表示決定手段により決定した前記既定数以下の数の表示データのサムネイルの一覧とを含む一覧画像を前記表示手段に表示する表示制御手段と、
を備えることを特徴とする表示装置。
【請求項２】
前記表示手段に一覧表示された各前記表示データの特定情報の位置にそれぞれ対応した選択キーを有しており、
前記表示制御手段は、操作があった前記選択キーに対応する位置に特定情報が表示されている表示データに基づく画像を、前記表示手段に表示する
ことを特徴とする請求項１に記載の表示装置。
【請求項３】
前記表示制御手段は、前記表示手段の表示領域のうち前記表示データの特定情報の表示位置を、当該表示データのサムネイルの表示位置よりも、当該表示データに対応する選択キー側にする
ことを特徴とする請求項２に記載の表示装置。
【請求項４】
前記サムネイル表示決定手段は、前記表示手段にサムネイル表示を行う表示データを、所定条件に基づいて変更する
ことを特徴とする請求項１〜３のいずれか１項に記載の表示装置。
【請求項５】
前記表示制御手段は、表示データのサムネイルの一覧を含む前記一覧画像を前記表示手段に表示するサムネイル表示モードと、表示データのサムネイルの一覧を含まない前記一覧画像を前記表示手段に表示するサムネイル非表示モードとを選択的に実行する
ことを特徴とする請求項１〜４のいずれか１項に記載の表示装置。
【請求項６】
前記取得手段は、サムネイル表示を行う表示データを決定するためのサムネイル表示設定情報を取得し、
前記表示制御手段は、前記サムネイル表示設定情報に基づいて、前記表示手段にサムネイル表示を行う表示データを変更する
ことを特徴とする請求項４又は５に記載の表示装置。
【請求項７】
前記サムネイル表示設定情報には、サムネイル表示を行う表示データの表示頻度情報が含まれており、
前記表示制御手段は、前記表示頻度情報に応じて、前記表示手段にサムネイル表示を行う表示データを変更する
ことを特徴とする請求項６に記載の表示装置。
【請求項８】
前記表示制御手段は、所定条件に基づき、前記表示手段に表示するサムネイルのサイズを変更する
ことを特徴とする請求項１〜７のいずれか１項に記載の表示装置。
【請求項９】
前記表示制御手段は、前記一覧画像として、前記サムネイル表示を行う表示データのサムネイルを、当該表示データの特定情報と関連づけた画像を含む一覧画像を前記表示手段に表示する
ことを特徴とする請求項１〜８のいずれか１項に記載の表示装置。
【請求項１０】
前記表示制御手段は、前記表示データのサムネイルと特定情報とが線で結ばれた画像を表示手段に表示する
ことを特徴とする請求項９に記載の表示装置。
【請求項１１】
前記表示制御手段は、前記表示データのサムネイルと特定情報とが枠で囲まれた画像を表示手段に表示する
ことを特徴とする請求項９に記載の表示装置。
【請求項１２】
前記表示データのサムネイルと特定情報とを含む画像の色または階調によって、前記表示データのサムネイルと特定情報との関連付けが行われる
ことを特徴とする請求項１〜１１のいずれか１項に記載の表示装置。
【請求項１３】
表示データを特定する特定情報と、前記表示データのサムネイルとを取得するステップと、
前記特定情報を表示手段に一覧表示する所定数の表示データを決定するステップと、
前記所定数の表示データのうちサムネイル表示を行う表示データを、前記所定数より少ない既定数以下の数だけ決定するステップと、
前記所定数の表示データの特定情報の一覧と、前記既定数以下の数の表示データのサムネイルの一覧とを含む一覧画像を前記表示手段に表示するステップと、
をコンピュータに実行させることを特徴とする表示制御プログラム。
【発明の詳細な説明】
【技術分野】
【０００１】
本発明は、表示装置に関し、詳しくは、表示データに基づく画像を利用者に選択させる一覧画像を表示可能とした表示装置に関する。
【背景技術】
【０００２】
従来、記憶手段に記憶されている表示データに基づく画像を表示させる電子ブック等の表示装置が知られている。このような表示装置は、表示手段を備えており、通常、表示データを利用者に選択させる一覧画像をこの表示手段に表示することができる。
【０００３】
また、前記一覧画像に含まれる情報としては、表示データのタイトルや見出しなどのインデックスに代表されるように、表示データを特定する特定情報が表示されることが一般的である。また、表示データの情報として、サムネイルについても前記一覧画像に含まれることが多い。
【０００４】
特に、インデックスだけでは表示データから生成される画像の内容が判別しにくいような場合、表示される画像の内容を直感的に把握することができる縮小画像であるサムネイルの存在は利便性を高めるためである。
【０００５】
そこで、表示装置の一例として、電子書籍データデコード部と、しおり位置指定制御部と、しおり情報管理部と、しおり一覧表示制御部とを備える電子書籍装置が提案された（例えば、特許文献１を参照）。
【０００６】
この表示装置では、電子書籍データの所望ページが電子書籍データデコード部によりデコードされ、このデコードされたページの任意の位置にしおり位置指定制御部によってしおりが付与される。しおり情報管理部は、しおりを付与した位置に基づいて前記所望ページの一部をしおり情報として管理しており、しおり一覧表示制御部は、しおり情報管理部により管理されているしおり情報からサムネイルを作成して画面上に一覧表示する。
【先行技術文献】
【特許文献】
【０００７】
【特許文献１】特開２００６−３３８１４２号公報
【発明の概要】
【発明が解決しようとする課題】
【０００８】
しかし、上記した従来技術は、利用者がしおりを設定したときに、そのしおりを付与したページの一部をサムネイル化して表示するもので、しおりが増えればその分サムネイルも増えていく。したがって、例えばしおり一覧画面上に表示されるサムネイルが増えてしまうと、その識別が困難になってしまい、一覧性を損なってしまう。
【０００９】
また、上記電子書籍装置の形態がインターネットなどに無線接続可能な携帯端末であった場合、しおり一覧画面においてしおりを間違って選択し、そのしおりに対応するページが一旦表示されてしまうと、再度しおり一覧画面を表示するには時間がかかる。これでは使い勝手が良好とは言えず、利用者にストレスを与えてしまうおそれがある。
【００１０】
本発明は、サムネイル表示を行う表示データの数を、特定情報を一覧表示する所定数の表示データよりも少ない既定数以下に設定して、一覧画面における一覧性と、表示させる表示データの選択操作の操作性とを向上させた表示装置を提供することを目的とする。
【課題を解決するための手段】
【００１１】
上記目的を達成するために、請求項１に係る発明は、表示データを特定する特定情報と、前記表示データのサムネイルとを取得する取得手段と、表示させる表示データを利用者に選択させる一覧画像を表示する表示手段と、を備えた表示装置において、前記特定情報を前記表示手段に一覧表示する所定数の表示データを決定する表示データ決定手段と、前記表示データ決定手段により決定した所定数の表示データのうちサムネイル表示を行う表示データを、前記所定数より少ない既定数以下の数だけ決定するサムネイル表示決定手段と、前記表示データ決定手段により決定した前記所定数の表示データの特定情報の一覧と、前記サムネイル表示決定手段により決定した前記既定数以下の数の表示データのサムネイルの一覧とを含む一覧画像を前記表示手段に表示する表示制御手段と、を備えることを特徴とする。
【００１２】
また、請求項２に係る発明は、請求項１に記載の表示装置において、前記表示手段に一覧表示された各前記表示データの特定情報の位置にそれぞれ対応した選択キーを有しており、前記表示制御手段は、操作があった前記選択キーに対応する位置に特定情報が表示されている表示データに基づく画像を、前記表示手段に表示することを特徴とする。
【００１３】
また、請求項３に係る発明は、請求項２に記載の表示装置において、前記表示制御手段は、前記表示手段の表示領域のうち前記表示データの特定情報の表示位置を、当該表示データのサムネイルの表示位置よりも、当該表示データに対応する選択キー側にすることを特徴とする。
【００１４】
また、請求項４に係る発明は、請求項１〜３のいずれか１項に記載の表示装置において、前記サムネイル表示決定手段は、前記表示手段にサムネイル表示を行う表示データを、所定条件に基づいて変更することを特徴とする。
【００１５】
また、請求項５に係る発明は、請求項１〜４のいずれか１項に記載の表示装置において、前記表示制御手段は、表示データのサムネイルの一覧を含む前記一覧画像を前記表示手段に表示するサムネイル表示モードと、表示データのサムネイルの一覧を含まない前記一覧画像を前記表示手段に表示するサムネイル非表示モードとを選択的に実行することを特徴とする。
【００１６】
また、請求項６に係る発明は、請求項４又は５に記載の表示装置において、前記取得手段は、サムネイル表示を行う表示データを決定するためのサムネイル表示設定情報を取得し、前記表示制御手段は、前記サムネイル表示設定情報に基づいて、前記表示手段にサムネイル表示を行う表示データを変更することを特徴とする。
【００１７】
また、請求項７に係る本発明は、請求項６に記載の表示装置において、前記サムネイル表示設定情報には、サムネイル表示を行う表示データの表示頻度情報が含まれており、
前記表示制御手段は、前記表示頻度情報に応じて、前記表示手段にサムネイル表示を行う表示データを変更することを特徴とする。
【００１８】
また、請求項８に係る本発明は、請求項１〜７のいずれか１項に記載の表示装置において、前記表示制御手段は、所定条件に基づき、前記表示手段に表示するサムネイルのサイズを変更することを特徴とする。
【００１９】
また、請求項９に係る本発明は、請求項１〜８のいずれか１項に記載の表示装置において、前記表示制御手段は、前記一覧画像として、前記サムネイル表示を行う表示データのサムネイルを、当該表示データの特定情報と関連づけた画像を含む一覧画像を前記表示手段に表示することを特徴とする。
【００２０】
また、請求項１０に係る本発明は、請求項９に記載の表示装置において、前記表示制御手段は、前記表示データのサムネイルと特定情報とが線で結ばれた画像を表示手段に表示することを特徴とする。
【００２１】
また、請求項１１に係る本発明は、請求項９に記載の表示装置において、前記表示制御手段は、前記表示データのサムネイルと特定情報とが枠で囲まれた画像を表示手段に表示することを特徴とする。
【００２２】
また、請求項１２に係る本発明は、請求項１〜１１のいずれか１項に記載の表示装置において、前記表示データのサムネイルと特定情報とを含む画像の色または階調によって、前記表示データのサムネイルと特定情報との関連付けが行われることを特徴とする。
【００２３】
また、請求項１３に係る本発明の表示制御プログラムは、表示データを特定する特定情報と、前記表示データのサムネイルとを取得するステップと、前記特定情報を表示手段に一覧表示する所定数の表示データを決定するステップと、前記所定数の表示データのうちサムネイル表示を行う表示データを、前記所定数より少ない既定数以下の数だけ決定するステップと、前記所定数の表示データの特定情報の一覧と、前記既定数以下の数の表示データのサムネイルの一覧とを含む一覧画像を前記表示手段に表示するステップと、をコンピュータに実行させることを特徴とする。
【発明の効果】
【００２４】
本発明によれば、所定数の表示データの特定情報の一覧と、前記所定数より少ない既定数以下の数の表示データのサムネイルの一覧とを有する一覧画像を表示手段に表示するようにしている。そのため、サムネイルによる表示データの識別力が良好となって一覧画像における一覧性を向上させるとともに、サムネイルを間違って選択することを可及的に減じ、選択操作の操作性を向上させることが可能となる。
【図面の簡単な説明】
【００２５】
【図１】本実施形態に係る表示装置の機能ブロック図である。
【図２】画面表示の一例であるコンテンツ一覧画面を示す説明図である。
【図３】画面表示の一例であるしおり一覧画面を示す説明図である。
【図４】本実施形態に係る表示装置の外観図である。
【図５】本表示装置の電気的構成を示すブロック図である。
【図６】文書リストのデータ構造を示す説明図である。
【図７】しおり情報のデータ構造を示す説明図である。
【図８】本実施形態に係る表示装置の基本動作処理の流れを示す説明図である。
【図９】コンテンツ一覧表示処理の流れを示す説明図である。
【図１０】しおり一覧表示処理の流れを示す説明図である。
【図１１】しおり選択処理の流れ示す説明図である。
【図１２】サムネイル表示モードとサムネイル非表示モードの切り替え処理の流れを示す説明図である。
【図１３】しおり表示切替処理の流れを示す説明図である。
【図１４】他の実施形態に係る表示装置の基本動作処理の流れを示す説明図である。
【図１５】しおり一覧画面の変形例を示す説明図である。
【発明を実施するための形態】
【００２６】
以下、本発明の一実施形態を、以下の順序で図面を参照して説明する。
１．表示装置の概要
２．表示装置の具体的構成
３．表示装置の具体的動作
４．表示装置の他の実施形態
【００２７】
［１．表示装置の概要］
先ず、図１〜図３を参照して、本実施形態の表示装置の概要について説明する。図１は本実施形態に係る表示装置の機能ブロック図、図２は画面表示の一例であるコンテンツ一覧画面を示す説明図、図３は同じく画面表示の一例であるしおり一覧画面を示す説明図である。なお、本実施形態に係る表示装置は、所謂「電子ブック」として使用することができる。
【００２８】
本実施形態に係る表示装置は、図１に示すように、表示部２と、操作部４と、メモリカードなどから情報を読み込むカードリーダ６と、表示装置全体を制御する制御部３０とを備えている。表示部２は表示手段として機能し、表示データに応じた画像をページ単位で表示することができる。なお、「表示データ」とは、例えば、画像ファイルや文書ファイルなどのデータファイル自体、あるいは個々のデータファイルの個々のページのデータ（以下、単に「ページ」という場合がある）を指す。以下においては、データファイルとして文書ファイルを例に挙げて説明するが、画像データやその他の形式のデータであってもよい。なお、文書ファイルには、文字データだけでなく画像データを含むことができる。
【００２９】
また、表示装置は、所定数の表示データの特定情報の一覧と、前記所定数よりも少なく既定されている表示データのサムネイルの一覧とを含む一覧画像を表示部２に表示することができる。
【００３０】
すなわち、図２及び図３に示すように、サムネイルを限定して表示するとともに、表示させる表示データを利用者に選択させる一覧画像を表示部２に表示することができる。一覧画像としては、例えば、メモリカードに記憶された複数の文書ファイルの情報を一覧できる「コンテンツ一覧画面」（図２）や、一つの文書ファイルを構成する複数のページのうち、「しおり」が付されたページの情報を一覧できる「しおり一覧画面」（図３）がある。なお、一覧画像としては、必ずしもこれらに限定するものではない。例えば、しおりとは関係なく各文書ファイルに設定されている目次やメニューを示す画面などであってもよいが、いずれにしても、表示データの特定情報よりも表示データのサムネイルの方を少なく表示する。
【００３１】
ここで、表示データを特定する特定情報とは、文書ファイルやそのページを特定するための情報であり、例えば、文書ファイルのタイトル（以下、「文書タイトル」という）や、文書ファイルから所望のページを検索しやすくするための見出しや索引などであり、所謂インデックスを指す。また、サムネイルは、文書ファイルやその個々のページの内容を直感的に把握することができる縮小画像から構成される。
【００３２】
操作部４は、表示部２に一覧表示された表示データの情報を利用者が選択できる選択キー４３（図２及び図３参照）を含む複数の操作スイッチ群４０を備えている。
【００３３】
制御部３０は、操作部４からの操作信号に応じて表示部２への表示動作を制御するとともに、表示装置全体の動作を制御することができる。この制御部３０は、後述するＣＰＵ１０やＲＯＭ１１及びＲＡＭ１２を備えたコンピュータにより構成されている（図５を参照）。また、制御部３０は、文書ファイルや後述する文書リストをメモリカードなどからカードリーダ６を介して読み込む。
【００３４】
そして、表示データを、例えば文書ファイルの個々のページとした場合、制御部３０は、ページを特定するインデックスを表示部２に一覧表示する所定数のページを決定する表示データ決定手段としての機能を担っている。また、制御部３０は、前記表示データ決定手段として決定した所定数のページのうちサムネイル表示を行うページを、前記所定数より少ない既定数以下の数だけ決定するサムネイル表示決定手段としての機能も担っている。さらに、制御部３０は、メモリカードなどから文書ファイルのページのデータや見出しを取得し、文書ファイルのページのサムネイルをこのページのデータに画像処理を施すことによって取得する取得手段としても機能する。また、制御部３０は、前記表示データ決定手段として決定した前記所定数のページの見出しとなるインデックスの一覧と、前記サムネイル表示決定手段として決定した前記既定数以下の数のサムネイルの一覧とを含む一覧画像を表示部２に表示する表示制御手段としての機能をも担っている。勿論、一覧表示する表示データは、上記のページに代えて文書ファイルそのものであっても構わない。その場合、インデックスとしては文書ファイルを示す文書タイトルが表示されることになる。また、文書ファイルのサムネイルは、文書ファイルの所定ページ（例えば、先頭ページ）のサムネイルである。
【００３５】
制御部３０のＲＯＭ１１には、表示制御プログラムを格納しており、このプログラムにしたがって、ＣＰＵ１０は、少なくとも以下の３つのステップを実行する。
（１）表示データ（文書ファイル自体、あるいは文書ファイルのページ）を特定するインデックスと、当該表示データのサムネイルとを取得するステップ。
（２）前記インデックスを表示部２に一覧表示する所定数の表示データ（文書ファイルあるいは文書ファイルのページ）を決定するステップと、前記所定数の表示データのうち、サムネイル表示を行う表示データを、前記所定数より少ない既定数以下の数だけ決定するステップ。
（３）前記所定数の表示データ（文書ファイルあるいは文書ファイルのページ）のインデックスの一覧と、前記既定数以下の数の表示データのサムネイルの一覧とを含む目次画像を表示部２に表示するステップ。
【００３６】
上述してきた表示装置において、例えば、「しおり」を付したページを確認する場合、通常であれば、全ての文書ファイルのページに対してサムネイルを表示できれば利便性が高くなると考えられる。しかし、表示するサムネイルが増えてしまうと、その識別がかえって困難になり、識別性や一覧性を損なってしまい、誤選択するおそれがある。
【００３７】
そこで、本表示装置は、インデックスの一覧と、インデックスの数より少ない既定数以下の数のサムネイルの一覧とを有するしおり一覧画面（一覧画像）を表示部２に表示するようにしている。
【００３８】
例えば、図２に示した「コンテンツ一覧画面」においては、インデックス（文書タイトル）とサムネイルとが一覧表示されるが、インデックスが所定数として１０個設定されているのに対し、サムネイルは既定数として３個設定されている。そして、サムネイルとインデックスとを線で結んだ画像を表示して、サムネイルとインデックスとの関係を明確にしている。
【００３９】
また、「しおり一覧画面」が表示された場合は（図３を参照）、インデックスとサムネイルとが一覧表示されているが、インデックスが所定数として１３個設定されているのに対し、サムネイルは既定数として４個設定されている。そして、サムネイルとインデックスとを線で結んだ画像を表示して、サムネイルとインデックスとの関係を明確にしている。
【００４０】
このように、表示制御手段として機能する制御部３０は、サムネイル表示を行う文書ファイルのサムネイルを、当該文書ファイルを特定する文書タイトルであるインデックスと関連づけた「コンテンツ一覧画面」を一覧画像として表示部２に表示するようにしている。また、同様に、サムネイル表示を行う文書ファイルのページのサムネイルを、当該ページを特定する見出しであるインデックスと関連づけた「しおり一覧画面」を一覧画像として表示部２に表示することができる。
【００４１】
また、図２及び図３から分かるように、制御部３０は、所定条件に基づき、表示部２に表示するサムネイルのサイズを変更するようにしている。例えば、一覧表示するサムネイルの数のデフォルトを図３で示したように「４」とした場合、図２で示すようにデフォルトの数よりも少ない場合はサムネイルのサイズを大きく表示する。一方、一覧表示するサムネイルの数が例えば「５」以上などであってデフォルトの数（例えば「４」）よりも多い場合はサムネイルのサイズをデフォルトよりも小さくする。
【００４２】
このように、本表示装置では、一覧表示されるサムネイルがいたずらに増加してしまうことを回避でき、サムネイルによる表示データの識別力が良好となって一覧性を向上させることができる。さらに、サムネイルを間違って選択することを可及的に減じることができるため、使い勝手を向上させることができる。
【００４３】
また、制御部３０がサムネイル表示決定手段として機能する場合、表示部２にサムネイル表示を行う表示データを、所定条件に基づいて変更するようにしている。
【００４４】
すなわち、制御部３０は、サムネイル表示を行う表示データを決定するためのサムネイル表示設定情報を取得し、前記サムネイル表示設定情報に基づいて表示部２にサムネイル表示を行う表示データを変更するのである。
【００４５】
例えば、サムネイル表示設定情報には、サムネイル表示を行う表示データの表示頻度情報が含まれており、制御部３０は、表示頻度情報に応じて、表示部２にサムネイル表示を行う表示データを変更するのである。
【００４６】
表示頻度情報としては、例えば、表示頻度に応じて振り分けた表示ランク情報をサムネイル表示設定情報とすることができる。あるいは、表示頻度情報を独立したサムネイル表示設定情報とするとともに、これとは別のパラメータを用いてサムネイル表示の優先度を示す表示ランク情報をサムネイル表示設定情報に設定することもできる。こうして、制御部３０は、サムネイル表示設定情報に応じて表示部２にサムネイルの表示を行う表示データを切り替えることができる。
【００４７】
文書ファイルには、表示データとして表示手段に表示する本体データ領域以外に、その文書タイトルやその他の属性などが含まれるヘッダ領域を有しており、このヘッダ領域にサムネイル表示設定情報などが含まれる。文書ファイルのページのサムネイル表示を行うときには、制御部３０は、文書ファイルのヘッダ領域からサムネイル表示設定情報を取得する。なお、制御部３０は、サムネイル表示設定情報に含まれる表示頻度情報を、文書ファイルのページを表示部２に表示する毎に更新する。
【００４８】
また、メモリカード６０（図４及び図５参照）には、メモリカード６０内に記憶されている複数の文書ファイルに関する文書リストが記憶されている。この文書リストには、サムネイル表示設定情報などが含まれている。文書ファイルのサムネイル表示を行うときには、制御部３０は、カードリーダ６を介してメモリカード６０からサムネイル表示設定情報を取得する。また、制御部３０は、サムネイル表示設定情報に含まれる表示頻度情報を、文書ファイルを表示部２に表示する毎に更新する。なお、同一文書ファイルのページを表示部２に表示する毎に、文書ファイルに関する表示頻度情報の情報を更新するようにしてもよい。
【００４９】
ところで、制御部３０は、表示データのサムネイルの一覧を含む一覧画像を表示部２に表示するサムネイル表示モードと、表示データのサムネイルの一覧を含まない一覧画像を表示部２に表示するサムネイル非表示モードとを選択的に実行するように構成することもできる。
【００５０】
この場合、図１に示すように、操作部４に、サムネイル表示モードとサムネイル非表示モードとの何れかを選択するモード切替ボタン４１などを設けておくとよい。
【００５１】
また、操作部４に、サムネイル表示切替ボタン（図示せず）を設けておき、表示部２にサムネイル表示を行う表示データを、上述したようにサムネイル表示設定情報を取得して行うのではなく、ユーザによるボタン操作で変更することもできる。例えば、図２に示すように、１０個のインデックスを表示する場合、インデックスの上側の５個のインデックスについてサムネイル表示を実行するように設定しておき、表示切替ボタンの操作によるサムネイル書き換え指示が入力されると、上側の５個ではなく、下側の５個のインデックスについてサムネイル表示をするように切り換えることもできる。
【００５２】
また、このサムネイル表示切替ボタンの操作にしても、表示データの表示頻度を表示条件に加えることができる。例えば、１０個のインデックスが表示されているときに、デフォルトでは表示頻度の高いランクに属する３個のインデックスについてサムネイル表示がなされように設定しておく。そして、この状態で１回ボタン操作すると、表示頻度の高さが次のランクに属するインデックスが含まれる、例えば５個のインデックスについてサムネイル表示し、さらにボタン操作を行うと、さらに次のランクに属するインデックスが含まれる７個のインデックスについてサムネイル表示するのである。
【００５３】
なお、この場合、表示するサムネイルのサイズを、表示数に応じて変更することができる。例えば、表示数が３個の場合は最も大きいＬサイズ、５個の場合はそれよりも小さいＭサイズ、７個の場合は最も小さいＳサイズに変更するのである。
【００５４】
［２．表示装置の具体的構成］
図２〜図７を参照しながら表示装置の具体的構成について説明する。図４は本実施形態に係る表示装置の外観図であり、図示するように、表示装置は薄型の平面視方形状に形成されたケーシングの上面に設けられた略Ａ４サイズの大きさの表示部２を備えている。表示部２には、例えば、文書ファイルに基づく画像をページ単位で表示することが可能である。さらに、表示部２では文書ファイルや当該文書ファイルの各ページを特定するインデックスやサムネイルをしおり一覧画面に一覧表示することができる（図２及び図３参照）。
【００５５】
本実施形態係る表示部２は、電気的に白黒を反転できる粒子を用いて可変表示を行う電子インク技術を用いたマイクロカプセル型電気泳動ディスプレイモジュール（ＥＰＤ： Electrophoretic Display）を用いている。これは、表示画面は電源が供給されなくても消えることがないという特徴を備えている。なお、ＥＰＤに代えて液晶パネル（ＬＣＤ）で構成することもできる。
【００５６】
図４に示すように、表示部２の右側には操作部４が配置されており、操作部４には、表示装置の状態を示すＬＥＤ４２や各種の押下式スイッチを有する操作スイッチ群４０が配設されている。操作スイッチ群４０は、モード切替ボタン４１、複数の選択キー４３、電源ボタン４４、メニューボタン４５、ドキュメントファイル閉じるボタン４６、拡大ボタン４７、ページ送りボタン４８，４９を備えている。なお、複数の選択キー４３については後に詳述する。
【００５７】
表示装置の利用者は、操作部４の操作スイッチ群４０を操作して表示部２に表示する文書ファイルの選択を行うとともに、選択した文書ファイルをページ単位で表示することができる。また、利用者は文書ファイルの所望するページに「しおり」を付して登録することもでき、「しおり」を付したページを即座に表示することもできる。なお、所定のページに予め「しおり」を付された文書ファイルの場合にも、同様に、「しおり」を付したページを即座に表示することができる。
【００５８】
また、表示装置の右側面下部には、メモリカード６０を挿入するためのスロット６１を有するカードリーダ６が設けられている。このメモリカード６０には様々なカテゴリーの文書ファイルやこれら文書ファイルのタイトル（文書タイトル）などを含む文書リストが記憶されている。また、文書ファイルには「しおり」が付されたページに関する情報である「しおり情報テーブル」をヘッダ領域に書き込んで登録することができ、「しおりリスト」として格納される。そして、制御部３０は、カードリーダ６を介して各文書ファイルや文書リストを読み込んで表示部２に表示させている。
【００５９】
ここで、文書リストについて説明する。図６は文書リストの説明図であり、メモリカード６０に記憶されている。この文書リストに設定されている情報がサムネイル表示設定情報の一例に相当する。
【００６０】
図示するように、文書リストには、タイトル欄と、リンク先欄と、サムネイル欄と、表示ランク欄とが１組のデータ構造として構成されている。図中、テーブルの左端に付された数字はファイル番号を示している。
【００６１】
タイトル欄は「○×の取扱説明書」などのタイトル（インデックス）が設定されており、文書ファイルを特定することができる。リンク先欄は当該タイトルが付されている文書ファイルのアドレス情報が設定されている。このアドレス情報は、メモリカード６０の記憶領域のアドレスであり、図では簡易的にアドレスＡ〜Ｇ等で表している。
【００６２】
また、サムネイル欄はサムネイル（図２参照）を表示するか否かの識別情報が設定されている。例えば、ファイル番号号０〜２，４，５に対応した文書ファイルには「非表示」が設定されているため、サムネイルは表示されず、タイトルのみが表示されることになる。したがって、表示される文書ファイルの個数に対し、表示されるサムネイルの個数は少なくなる。
【００６３】
また、表示ランク欄は、サムネイルを表示する優先度がランク付けされている。ここでは、Ａ〜Ｃの順にランクが低くなる。なお、この文書リストに設定されているサムネイルは該当文書ファイルの縮小画像から構成されている。
【００６４】
また、本実施形態における表示ランクは、例えば、文書ファイルの表示頻度が所定回数を含むデフォルトの範囲をランクＢとし、これよりも多い範囲にある場合をランクＡ、少ない範囲にある場合をランクＣとしている。すなわち、文書ファイルの表示頻度が高い順からサムネイルを表示することができる。したがって、サムネイルを表示することのできる文書ファイルの既定数が少ない場合、表示ランクによる優先度の高い文書ファイルのサムネイルが優先的に表示されることになる。勿論、表示ランクは、必ずしも表示頻度に限らず、適宜のパラメータに応じて決定されるものであっても構わない。
【００６５】
次に、しおり情報テーブルについて説明する。図７はしおり情報テーブルの説明図であり、メモリカード６０に記憶された文書ファイルのヘッダ領域に格納されている。このしおり情報テーブルに設定されている情報がサムネイル表示設定情報の一例に相当する。
【００６６】
図示するように、しおり情報テーブルには、タイトル欄と、リンク先欄と、サムネイル欄と、表示ランク欄とが１組のデータ構造として構成されている。この１組のデータ構造が所謂「しおり」を構成している。図中、テーブルの左端に付された数字はしおり番号を示している。
【００６７】
タイトル欄は「はじめに」などの見出し（インデックス）が設定されており、ページを特定することができる。リンク先欄は当該見出しが付されているページのアドレス情報が設定されており、ページを直接的に特定している。
【００６８】
また、サムネイル欄はサムネイル（図３参照）を表示するか否かの識別情報が設定されている。例えば、しおり番号０〜３に対応したページ（２ページ、５ページ、１３ページ、１４ページ）には「非表示」が設定されているため、これらのページに利用者がしおりを付してもサムネイルは表示されず、見出しのみが表示されることになる。したがって、表示される見出しの個数に対し、表示されるサムネイルの個数は少なくなる。
【００６９】
また、表示ランク欄は、サムネイルを表示する優先度がランク付けされている。ここでは、Ａ〜Ｃの順にランクが低くなる。なお、このしおり情報テーブルに設定されているサムネイルは該当ページの縮小画像から構成されている。
【００７０】
また、本実施形態における表示ランクは、例えば、文書ファイルの各ページの表示頻度が所定回数を含むデフォルトの範囲をランクＢとし、これよりも多い範囲にある場合をランクＡ、少ない範囲にある場合をランクＣとしている。すなわち、ページの表示頻度が高い順からサムネイルを表示することができる。したがって、サムネイルを表示することのできるページの既定数が少ない場合、表示ランクによる優先度の高いページのサムネイルが優先的に表示されることになる。勿論、表示ランクは、必ずしも表示頻度に限らず、適宜のパラメータに応じて決定されるものであっても構わない。
【００７１】
ところで、操作部４に配設された１３個の選択キー４３（Ａ，Ｂ，１〜９，０、Ｚ）は、表示部２の右側縦縁に沿って列状に設けられている。そして、図４に示すように、表示部２の表示領域を縦方向に複数の領域に分割して形成された分割領域（ここでは１３の分割領域）のそれぞれに１対１で対応して割付けられている。詳しくは後述するが、表示部２には、図２に示したように、文書タイトルを一覧するための「コンテンツ一覧画面」や、図３に示したように、文書ファイルで「しおり」が付されたページの見出しを一覧するための「しおり一覧画面」を表示することができる。そのときに一覧表示される見出しは、選択キー４３とそれぞれ１対１で対応するように縦方向に並んで配置される。
【００７２】
また、図２に示すように、「コンテンツ一覧画面」が表示部２に表示されているときに選択キー４３のいずれかが操作されると、制御部３０は、操作があった選択キー４３に対応する位置に文書タイトルが表示されている文書ファイルの規定ページ（例えば、先頭ページや「しおり」が付された最初ページ）を表示部２に表示する。また、図３に示すように、しおり一覧画面が表示部２に表示されているときに選択キー４３のいずれかが操作されると、制御部３０は、操作があった選択キー４３に対応する位置に見出しが表示されている文書ファイルのページの画像を表示部２に表示する。
【００７３】
なお、本実施形態に係る「コンテンツ一覧画面」では、図２に示すように、文書ファイルを特定できるインデックスとして、上から順に「○×の取扱説明書」、「小説ＡＢＣ」、「小説ＸＹＺ」、「論文I」、「論文II」、「論文III」、「詩集いろは」、「詩集あいう」、「△◆のすべて」、「だれでも分かる○■」の文書タイトルが配列されている。
【００７４】
一方、「しおり一覧画面」には、図３に示すように、ページを特定できるインデックスとして、上から順に「はじめに」、「安全にお使いいただくために」、「表記について」、「やりたいこと」、「やりたいこと一覧」、「各部の名称」、「電源をオンにする」、「コンテンツを表示する」、「便利な機能を利用する」、「設定と日頃のお手入れ」、「こんなときは」、「Ｑ＆Ａ」、「付録」の見出しが配列されている。
【００７５】
さらに、「コンテンツ一覧画面」や「しおり一覧画面」を表示する際に、制御部３０は、表示部２の表示領域のうち、各表示データ（文書ファイルやそのページデータ）のインデックスの表示位置を、図示するように、当該表示データのサムネイルの表示位置よりも、当該表示データに対応する選択キー４３側となるように表示制御している。
【００７６】
つまり、制御部３０は、表示部２の表示領域を仮に左右に区画した場合、表示部２の表示領域の左側にサムネイルを、右側にインデックスを表示するのである。このように表示することで、文書ファイルやページを特定するインデックスは、選択キー４３の左側に隣接することになる。したがって、利用者が文書ファイルやページの表示を選択しようとするときに、文書ファイルやページを特定するインデックスと選択キー４３との対応付けが容易となって操作性が良好となる。
【００７７】
しかも、制御部３０は、しおり一覧画面に表示するページを所定数（例えば１３個）に決定すると同時に、サムネイル表示を行うページは、先に決定した所定数（１３個）よりも少ない既定数（４個）に決定するようにしている。そして、サムネイルとインデックスとを線で結んだ画像を表示して、表示されたサムネイルが文書ファイルのどのページを示すのかを一目瞭然にしている。
【００７８】
したがって、表示部２に表示されるサムネイルがいたずらに増えてしまって見難くなることがなく、サムネイルによるページ識別力が良好となって目次画像における一覧性を向上させることができる。しかも、サムネイルを間違って選択することを未然に防止することも可能となる。
【００７９】
このように、制御部３０は、サムネイル表示を行う文書ファイルやページ（表示データ）のサムネイルを、当該文書ファイルやページを特定するインデックス（特定情報）と関連づけた一覧画像を表示部２に表示することができる。
【００８０】
図５は表示装置の電気的構成を示すブロック図である。図示するように、表示装置は、表示部２、ＬＥＤ４２、操作スイッチ群４０、バッテリ７、電源制御部１５、カードリーダ６、通信インターフェース（Ｉ／Ｆ）１７、メモリカード６０、制御部３０が設けられている。そして、制御部３０は、ＣＰＵ１０、ＲＯＭ１１及びＲＡＭ１２を備えている。また、操作スイッチ群４０には、モード切替ボタン４１、複数の選択キー４３、電源ボタン４４、メニューボタン４５、ドキュメント閉じるボタン４６、拡大ボタン４７、ページ送りボタン４８，４９を含む。
【００８１】
ＲＯＭ１１には、前述した表示制御プログラムをはじめ、各種情報及び表示装置を動作させるプログラムが記憶されている。ＣＰＵ１０は、これらのプログラムをＲＯＭ１１から読み出して実行することにより、各種の制御処理を実行する。このようにして、制御部３０は、前述した表示データ決定手段、サムネイル表示決定手段、及び表示制御手段として動作するとともに、表示装置の全体の制御を司ることになる。
【００８２】
なお、各種プログラムはＲＯＭ１１に予め記憶させておくのではなく、カードリーダ６を介してメモリカード６０などの記憶媒体から読み出してＲＯＭ１１に記憶するようにしてもよい。
【００８３】
ＲＡＭ１２は各種のデータを一時的に記憶するメモリであり、ＣＰＵ１０による制御処理時に用いられる。例えば、ＲＡＭ１２は、メモリカード６０から読み出した文書ファイル、文書リスト、しおり情報テーブルなどを一時的に記憶する。
【００８４】
また、表示装置は、図示しない外部電源から電力供給を受けていない場合には、バッテリ７の電力で駆動される。電源制御部１５は外部電源からバッテリ７への充電を制御している。
【００８５】
なお、メモリカード６０には、図示しないパーソナルコンピュータ（以下、「ＰＣ」という）にインストールされた専用ソフトウェアなどによって、各種の情報が書き込まれている。ＣＰＵ１０は、カードリーダ６を介してメモリカード６０から情報の読み取り、書き込みを制御することができる。
【００８６】
なお、各文書ファイルは、ＰＣを利用してメモリカード６０に記憶したり、インターネットから通信Ｉ／Ｆ１７を介してメモリカード６０に記憶したりすることもできる。
【００８７】
［３．表示装置の具体的動作］
ここで、表示部２の動作について、図面を参照しながら具体的に説明する。図８は本実施形態に係る表示装置の基本動作処理の一例を示す説明図、図９はコンテンツ一覧表示処理の流れを示す説明図、図１０はしおり一覧表示処理の流れを示す説明図、図１１はしおり選択処理の流れ示す説明図、図１２はサムネイル表示切替処理の流れを示す説明図である。
【００８８】
なお、ここでは、図４に示すモード切替ボタン４１によってサムネイル表示モードが選択されている状態とするが、モード切替ボタン４１によるモード切替処理は割り込み処理によっていつでも受け付けられる。
【００８９】
すなわち、モード切替ボタン４１が操作されると、図１２に示すように、ＣＰＵ１０は、現在のモードがサムネイル非表示モードか否かを判定する。つまり、サムネイル表示フラグが設定されているか否かを判定する。（ステップＳ１０１）。サムネイル表示フラグが設定されている場合（ステップＳ１０１：ＹＥＳ）、ＣＰＵ１０は、サムネイル表示フラグをリセットしてサムネイル非表示モードに切り替える（ステップＳ１０２）。他方、サムネイル表示フラグが設定されていない場合（ステップＳ１０１：ＮＯ）、ＣＰＵ１０は、サムネイル表示フラグを設定してサムネイル表示モードに切り替える（ステップＳ１０３）。
【００９０】
また、本実施形態における基本動作処理では、コンテンツ一覧モードとしおり一覧モードとがあり、利用者は、メニューボタン４５（図４参照）を操作することによっていずれかのモードを選択することができる。コンテンツ一覧モードにおいてはコンテンツ一覧画面が表示され、文書ファイルを示す文書タイトルとサムネイルとが関連付けられて一覧表示される（図２参照）。また、しおり一覧モードにおいてはしおり一覧画面が表示され、文書ファイルのページを特定することができる見出しとサムネイルとが関連付けられて一覧表示される（図３参照）。本実施形態では、文書リストとして、図６に示すデータが含まれ、しおり情報テーブルとして図７に示すデータが含まれているものとして説明する。
【００９１】
基本動作処理において、ＣＰＵ１０は、図８に示すように、先ず、初期設定を行う（ステップＳ１１）。この初期設定では、ＣＰＵ１０は、表示部２に対する表示モードをコンテンツ一覧モードに設定する。コンテンツ一覧モードとは、メモリカード６０に格納された全ての文書ファイルを一覧表示するモードである。
【００９２】
そして、ＣＰＵ１０は、設定したコンテンツ一覧モードに応じてコンテンツ一覧表示処理を行い（ステップＳ１２）、処理をステップＳ１３に移す。
【００９３】
ここで、ステップＳ１２のコンテンツ一覧表示処理について、図９を参照しながら説明する。ＣＰＵ１０は、先ず、メモリカード６０から文書リストを取得する（ステップＳ１２１）。この文書リストは、上述したように、メモリカード６０に記憶された文書ファイルに関する情報、すなわち、文書タイトル、アドレス情報（メモリカード６０における文書ファイルの記憶位置の情報）、サムネイルを表示する否かのサムネイル表示情報、さらには、例えば当該文書ファイルの表示回数などが互いに関連付けられたデータである（図６参照）。ＣＰＵ１０は、メモリカード６０に格納されている文書リストをＲＡＭ１２に展開する。
【００９４】
次いで、ＣＰＵ１０は、取得した文書リスト内に表示候補となる文書ファイルの情報が存在するか否かを判定し（ステップＳ１２２）、表示候補となる文書ファイルが文書リスト内に存在しない場合（ステップＳ１２２：ＮＯ）、図８のステップＳ１３に処理を戻す。
【００９５】
他方、表示候補となる文書ファイルが文書リスト内に存在する場合（ステップＳ１２２：ＹＥＳ）、ＣＰＵ１０は、文書リスト内に存在する文書タイトルをメモリカード６０から取得し、ＲＡＭに記憶する（ステップＳ１２３）。そして、ＣＰＵ１０は、文書タイトルを表示部２に表示させる処理を行う（ステップＳ１２４）。
【００９６】
また、ＣＰＵ１０は、表示させる文書タイトルに対応する文書ファイルがこれまでに表示部２に表示された頻度が、メモリカード６０に記憶されている全ての文書ファイル中の上位１割以内に存在するか否かを判定する（ステップＳ１２５）。すなわち、ＣＰＵ１０は、文書リストを参照して、表示頻度が全文書ファイル中の上位１割以内である場合は（ステップＳ１２５：ＹＥＳ）、処理をステップＳ１２６に移し、表示させる文書タイトルに対応する文書ファイルをメモリカード６０から取得し、この文書ファイルの所定ページのデータに画像処理を施してサムネイルのデータを取得する。一方、表示頻度が全文書ファイル中の上位１割未満の場合（ステップＳ１２５：ＮＯ）、ＣＰＵ１０は処理をステップＳ１２８に移す。
【００９７】
このように、文書タイトルに対応する文書ファイルがこれまでに表示部２に表示された頻度が、メモリカード６０に記憶されている全ての文書ファイル中の上位１割以内に存在する場合、ＣＰＵ１０はステップＳ１２６においてサムネイルのデータを取得する。つまり、メモリカード６０に格納されているサムネイルのデータをＲＡＭ１２に記憶させる。
【００９８】
その後、ＣＰＵ１０は、図２に示すように、データを取得したサムネイルを文書タイトル（インデックス）と線で結ぶなどして両者を関連付けた状態で表示する（ステップＳ１２７）。また、この処理において、後に説明する処理（図８のステップＳ２８）で設定される切替基準に規定されたサムネイル表示がなされる。例えば、大見出し、小見出しなどの階層を有するインデックスであれば、大見出しだけをサムネイル表示したり、あるいは小見出しまでもサムネイル表示したりするのである。また、サムネイルのサイズについて言えば、表示個数が多いい場合はサイズを小さくし、表示個数が少ない場合はサイズを大きくするなど、既定された表示条件に基づいてサムネイル表示がなされる。
【００９９】
次いで、ＣＰＵ１０は、表示位置の更新を行う。具体的には、ＣＰＵ１０は、表示した文書タイトルの位置をＲＡＭ１２に記憶する（ステップＳ１２８）。これにより、文書タイトルと選択キー４３との関係がＲＡＭ１２に設定されることにある。
【０１００】
次いで、ＣＰＵ１０は、表示部２の表示領域中にサムネイルと文書タイトルがさらに表示可能なスペースがあるか否かを判定する（ステップＳ１２９）。そして、ＣＰＵ１０は、これ以上は表示不可（ステップＳ１２９：ＮＯ）であると判定すれば、本コンテンツ一覧表示処理を終了して処理をステップＳ１３に戻す。一方、表示部２の表示領域中にサムネイルと文書タイトルとをさらに表示できると判定した場合（ステップＳ１２９：ＹＥＳ）、ＣＰＵ１０は、処理をステップＳ１２３に戻す。
【０１０１】
すなわち、ＣＰＵ１０は、表示部２の表示領域に所定数（例えば１０個）のインデックスが表示され、当該所定数よりも少ない既定数（例えば３個）のサムネイルが表示されるまで、ステップＳ１２３〜ステップＳ１２９の処理を繰り返すことになる。
【０１０２】
コンテンツ一覧表示処理が終了すると、ＣＰＵ１０は、図８の基本動作処理に戻り、ステップＳ１３の利用者からの入力受付処理を実行する。すなわち、操作部４の操作スイッチ群４０を介しての利用者からの入力を受け付け可能とする。
【０１０３】
次いで、ＣＰＵ１０は、「コンテンツ一覧表示モード」に設定されているか否かを判定し（ステップＳ１４）、「コンテンツ一覧表示モード」に設定されていない場合（ステップＳ１４：ＮＯ）は処理をステップＳ２１に移す。一方、「コンテンツ一覧表示モード」に設定されている場合（ステップＳ１４：ＹＥＳ）、ＣＰＵ１０は、利用者からドキュメント表示指示の入力があったか否かを判定する（ステップＳ１５）。
【０１０４】
すなわち、図２において、表示部２に表示されている文書タイトルの直右側に、各文書タイトルと１対１で対応するように配置されている選択キー４３が操作されたか否かを判定する。そして、利用者から「文書ファイル表示指示」の入力があったと判定した場合（ステップＳ１５：ＹＥＳ）、ＣＰＵ１０は、表示指示のあった文書ファイルをメモリカード６０から読み出して表示部２に表示する（ステップＳ１６）。
【０１０５】
一方、「文書ファイル表示指示」の入力はないと判定した場合（ステップＳ１５：ＮＯ）、ＣＰＵ１０は、利用者から「ページ移動指示」の入力があったか否かを判定する（ステップＳ１７）。すなわち、所謂ページめくりの要求であり、ステップＳ１５において文書ファイルの表示指示を行って文書ファイルに基づく画像の表示を行っている状態であるときに、図４に示すページ送りボタン４８，４９の何れかが操作されたか否かを判定する。
【０１０６】
「ページ移動指示」の入力がない場合（ステップＳ１７：ＮＯ）、ＣＰＵ１０は、処理をステップＳ１９に移す一方、「ページ移動指示」の入力があった場合（ステップＳ１７：ＹＥＳ）、操作されたページ送りボタン４８，４９にしたがって該当する文書ファイルのページを表示する（ステップＳ１８）。
【０１０７】
「ページ移動指示」の入力がない場合の処理であるステップＳ１９では、「しおり一覧画面」（図３参照）の表示指示入力があったか否かを判定する。そして、「しおり一覧画面」の表示指示入力がない場合（ステップＳ１９：ＮＯ）、ＣＰＵ１０は、処理をステップＳ１３に戻す。一方、「しおり一覧画面」の表示指示入力があった場合（ステップＳ１９：ＹＥＳ）、ＣＰＵ１０は、表示部２に対する表示モードを「しおり一覧モード」に変更し、さらにしおり表示指示フラグを設定する（ステップＳ２０）、その後、処理をステップＳ１４に戻す。
【０１０８】
先のステップＳ１４の処理において、「コンテンツ一覧表示モード」に設定されていないと判定した場合の処理であるステップＳ２１では、ＣＰＵ１０は、表示モードが「しおり一覧モード」に設定されているか否かを判定する。
【０１０９】
そして、表示モードが「しおり一覧モード」に設定されていない場合（ステップＳ２１：ＮＯ）、ＣＰＵ１０は、処理をステップＳ１４に移す一方、表示モードが「しおり一覧モード」に設定されている場合（ステップＳ２１：ＹＥＳ）、ＣＰＵ１０は、しおり設定フラグが設定されているか否かを判定する（ステップＳ２２）。
【０１１０】
しおり設定フラグが設定されている場合（ステップＳ２２：ＹＥＳ）、ＣＰＵ１０は、しおり設定フラグをリセットした後、ステップＳ２３でしおり一覧表示を実行して図３に示す「しおり一覧画面」を表示する。一方、しおり設定フラグが設定されてないと判定された場合（ステップＳ２２：ＮＯ）、ＣＰＵ１０は、処理をステップＳ２４に移す。
【０１１１】
ここで、図１０を参照しながら「しおり一覧表示処理」について説明する。なお、このしおり一覧表示処理では、後処理であるステップＳ２８によるしおり表示切替処理の結果が反映されることになる。また、ここでは、例えば、図３に示すように、「はじめに」、「安全にお使いいただくために」、「表記について」・・・「こんなときは」、「Ｑ＆Ａ」、「付録」などのインデックス（見出し）があるページにしおりが付与されている場合のしおり一覧画面が表示される場合として説明する。
【０１１２】
図１０に示すように、ＣＰＵ１０は、先ず、メモリカード６０に記憶され、表示部２にそのページが表示されている文書ファイルのヘッダ領域からしおり情報テーブルを取得し、各しおりのデータをＲＡＭ１２に展開する（ステップＳ２３１）。
【０１１３】
ＣＰＵ１０は、ＲＡＭ１２に表示部２に表示すべきしおりが残っているか否かを判定し（ステップＳ２３２）、残っていない場合（ステップＳ２３２：ＮＯ）は処理を図８のステップＳ１３に戻す。
【０１１４】
他方、表示部２に表示すべきしおりが残っている場合（ステップＳ２３２：ＹＥＳ）、ＣＰＵ１０は、次のしおりを取得し（ステップＳ２３３）、次いで、しおり名を表示部２に表示する（ステップＳ２３４）。次いで、ＣＰＵ１０は、表示モードがサムネイル表示モードであるか否かを判定する（ステップＳ２３５）。
【０１１５】
サムネイルモード表示でない場合（ステップＳ２３５：ＮＯ）、ＣＰＵ１０は処理をステップＳ２３２に戻す一方、サムネイル表示である場合（ステップＳ２３５：ＹＥＳ）、ＣＰＵ１０は処理をステップＳ２３６に移す。
【０１１６】
ステップＳ２３６では、ＣＰＵ１０は、サムネイル表示の基準がページの表示頻度が「大」であるか否かを判定する。すなわち、ここでは、ページの表示頻度が「大」の場合と、「小」の場合とで、サムネイルの表示数やサイズが決定されることになる。
【０１１７】
そして、サムネイル表示の基準がページの表示頻度が「大」の場合（ステップＳ２３６：ＹＥＳ）、ＣＰＵ１０は、表示するサムネイルの規定数を、しおり選択回数が上位１０％のしおりに対応する数とする。一方、サムネイル表示の基準がページの表示頻度が「小」の場合（ステップＳ２３６：ＮＯ）、ＣＰＵ１０は、表示するサムネイルの規定数を、しおり選択回数が上位５０％のしおりに対応する数とする。なお、しおり選択回数については、後述する後処理であるステップＳ２５のしおり選択処理で説明する。
【０１１８】
そして、ＣＰＵ１０は、ステップＳ２３７又はステップＳ２３８で決定した既定数の範囲の中にあるサムネイルを、優先度の高い方から順次、表示部２に表示する。すなわち、例えば、図７に示した「しおり情報」の表示ランクに基づいて、表示すべきサムネイルが順次優先的に選択されることになる。なお、サムネイルの取得は、ステップＳ１２６と同様であり、サムネイル表示するページのデータをＣＰＵ１０がメモリカード６０から読み出し、画像処理を施すことによって行われる。
【０１１９】
こうして、例えば図３に示すように、サムネイルの数が所定数（ここでは１３個）のインデックスが表示されるのに対し、１３個よりも少ない既定数（ここでは４個）のサムネイルが表示される。
【０１２０】
そして、ステップＳ２４０において、ＣＰＵ１０は、ＲＯＭ１１からサムネイルとインデックスとを視覚的に関連付けるためのアプリケーションにしたがって、サムネイルとインデックスとを、例えば線で結んだ画像を表示する。
【０１２１】
こうして、ＣＰＵ１０は、既定数のしおりが全て表示されるまで、ステップＳ２３２〜ステップＳ２４０の処理を繰り返し、処理を図８のステップＳ１３に戻す。その結果、表示部２には、図３に示すような態様でしおり一覧画面が表示されることになる。
【０１２２】
ステップＳ２２において、しおり設定フラグが設定されていないと判定された場合（ステップＳ２２：ＮＯ）に実行されるステップＳ２４では、ＣＰＵ１０は、しおり選択指示入力が有ったか否かを判定する。
【０１２３】
すなわち、図３において、表示部２に表示されているインデックス（見出し）の直右側に、各インデックスと１対１で対応するように配置されている選択キー４３が操作されたか否かを判定する。利用者から「しおり表示指示」の入力があったと判定した場合（ステップＳ２４：ＹＥＳ）、ＣＰＵ１０は、しおり選択処理を実行する（ステップＳ２５）。一方、しおり選択指示入力がなかったと判定すると（ステップＳ２４：ＮＯ）、ＣＰＵ１０は、処理をステップＳ２７に移す。
【０１２４】
図１１はしおり選択処理の流れ示す説明図である。ステップＳ２５で実行されるしおり選択処理では、ＣＰＵ１０は、メモリカード６０からしおり情報テーブル（図７参照）を読み出し、これを参照して、利用者による選択キー４３の操作により入力されたインデックスに関連付けられた「しおり」を取得する（ステップＳ２５１）。
【０１２５】
次いで、ＣＰＵ１０は、取得したしおりからリンク先となるページを取得する（ステップＳ２５２）。また、ＣＰＵ１０は、取得したページの選択回数をインクリメントする増加処理を行う。すなわち、制御部３０は、表示データの表示回数をカウントするカウンタ機能を備えており、カウント結果の累計表示回数をＲＯＭ１１の所定領域に格納している。また、制御部３０は、この表示回数の累計を、表示部２にサムネイル表示を行う文書ファイルや当該文書ファイルのページを変更する際に参照する表示頻度情報として用いている。
【０１２６】
次いで、ＣＰＵ１０は、該当するページのデータを表示データとして読み込み（ステップＳ２５４）、処理をステップＳ２６に移す。そして、ステップＳ２６において、読み出したページを表示部２に表示し、その後、処理をステップＳ１４に移す。
【０１２７】
ステップＳ２７において、ＣＰＵ１０は、しおり切替指示が入力されたか否かを判定する。例えば、「しおり切替え」という選択を、メニューボタン４５を用いて行えるようにしておき、利用者がその選択を行うと、ＣＰＵ１０は、ステップＳ２８のしおり切替処理を実行する。すなわち、サムネイル表示の切替基準を変更して、ステップＳ２３の処理でしおり一覧画面を表示する際のサムネイルの表示態様が変更される。
【０１２８】
ステップＳ２８で実行されるしおり表示切替処理の流れを図１３に示す。ここでは、サムネイル表示の実行基準を、サムネイルに対応するページの表示頻度を「大」の場合とするか、あるいは「小」の場合とするかを切替可能とした場合とする。
【０１２９】
図示するように、ＣＰＵ１０は、先ず、しおり一覧画面（図３参照）に表示されるサムネイルの表示基準がそのサムネイルに対応するページの表示頻度が大のものであるか否かを判定する（ステップＳ２８１）。そして、表示頻度が「大」であれば（ステップＳ２８１：ＹＥＳ）、ＣＰＵ１０はサムネイル表示基準を「小」に変更し（ステップＳ２８2）、表示頻度が「小」であれば（ステップＳ２８１：ＮＯ）、サムネイル表示基準を「大」に変更する（ステップＳ２８３）。
【０１３０】
ページの表示頻度が「大」の場合にサムネイル表示を行うようにすれば、よく表示させるページを直感的に識別できるようになるため、選択スピードがより向上する。他方、表示頻度が「小」の場合にサムネイル表示を行うようにすれば、通常、表示されていないページであるため、内容を即座には思い出せない場合があるが、表示されたサムネイルがページの縮小版となっているので、これを見ることにより、ページ内容を思い出すことが可能となり、選択スピードの短縮を図ることができる。
【０１３１】
また、サムネイルの表示基準を、表示数にするか表示サイズにするかを併せて変更することもできる。すなわち、ステップＳ２３のしおり一覧表示処理（図１０）において、ページの表示頻度の「大」の場合、サムネイルの数をしおり選択回数が上位１０％以内、「小」をしおり選択回数が上位５０％以内と規定した。
【０１３２】
したがって、表示頻度の「大」の場合の方が「小」の場合よりもページの数は少なくなるため、その見出し（インデックス）も少なくなる。よって、インデックスの数よりも少ない既定数に設定されているサムネイルの数も、ページの表示頻度の「大」の場合は「小」よりも少なくなるのは当然である。
【０１３３】
一方、サムネイルのサイズが大きければ、表示部２の限られた表示領域の中ではサムネイル表示数は少なく設定され、サムネイルのサイズが小さければ、サムネイル表示数は多く設定されている。
【０１３４】
そこで、ステップＳ２８1では、しおり一覧画面に表示するサムネイルの表示基準がページの表示頻度が「大」の場合は、そのサムネイルのサイズが「大」で、表示数は「少」となっているものを、サムネイルサイズを「小」に、表示数を「多」にそれぞれ変更し、逆に、サムネイルの表示基準がページの表示頻度が「小」であった場合はサムネイルサイズを「大」に、表示数を「小」にそれぞれ変更するのである。
【０１３５】
［４．表示装置の他の実施形態］
先の実施形態では、利用者操作によって、サムネイル表示基準を変更する「しおり表示切替」ができるようにしていたが、サムネイル表示は固定であっても構わない。常に、予め定められた態様で表示するようにしてもよい。図１４に他の実施形態に係る表示装置の基本動作処理の流れを示す。
【０１３６】
この処理が先の実施形態（図８参照）と異なる点は、先の実施形態ではステップＳ２４にける判定がＮＯの場合（ステップＳ２４：ＮＯ）、処理をステップＳ２７に移していたが、本実施形態では、サムネイル表示基準が固定なので、ステップＳ２４にける判定がＮＯの場合（ステップＳ２４：ＮＯ）、ＣＰＵ１０は処理をステップＳ１３に戻すようにした点にある。なお、他の処理は先の実施形態と同様であり、ここでの説明は省略する。
【０１３７】
以上、本発明の実施形態を図面に基づいて詳細に説明したが、これらは例示であり、当業者の知識に基づいて種々の変形、改良を施した他の形態で本発明を実施することが可能である。表示部２のサイズや、表示領域をいくつに分割するかなどは適宜設計変更することができる。また、着脱可能なメモリカード６０に文書ファイルやしおり情報テーブルのデータなどを格納した例としたが、表示装置内に十分な容量の不揮発性メモリを搭載し、この不揮発性メモリに文書ファイルやしおり情報テーブルのデータなどを記憶するようにしてもよい。
【０１３８】
また、例えば、しおり一覧画面では、図２や図３に示すように、サムネイルとインデックスとを線で結んで表示したが、図１５に示すように、サムネイルとインデックスとを枠で囲んでもよい。かかる表示態様であっても、サムネイル表示されている表示データの識別力を向上させることができる。なお、このとき、枠の線種や太さ、色なとは適宜設定して構わない。
【０１３９】
また、例えば、枠内で囲まれる領域の色や階調を他の領域と区別できるように変えることにより、サムネイルとインデックスとを関連付けることができる。すなわち、文書ファイルやページのサムネイルと、文書タイトルや見出しなどのインデックス情報とを含む画像の色または階調によって、前記文書ファイルやページのサムネイルと文書タイトルや見出しなどのインデックス情報との関連づけを行い、サムネイル表示されている表示データの識別力を向上させるのである。
【０１４０】
また、上述してきた実施形態では、サムネイルを表示する画面を、コンテンツ一覧画面やしおり一覧画面のように「目次ページ」のような画面として説明したが、閲覧履歴の表示画面など、文書ファイルやそのページなどを表示する画面に適用することもできる。
【０１４１】
また、サムネイルのサイズなどについて、例えば、操作部４に設定ボタンなどを設けておき、利用者のボタン操作によりサイズを順次変更可能な構成とすることもできる。そして、決定したサイズに応じて表示するサムネイルの既定数を決定するようにしてもよい。
【０１４２】
また、表示データとして、画像ファイルや文書ファイルなどのドキュメントや、個々のドキュメントの「しおり」が付与された個々のページとして説明したが、ドキュメントを複数含んだフォルダであっても構わない。
【０１４３】
また、サムネイルの取得を文書データのページのデータに画像処理を施すことによって生成することとしたが、文書リストやしおり情報テーブルなどに予めサムネイルのデータを含ませるようにしてもよい。このようにすることで前記制御部３０によるサムネイルの取得を迅速に行うことができる。
【０１４４】
上述してきた実施形態により、以下のような表示装置が実現できる。
【０１４５】
（１）表示データ（例えば、画像ファイルや文書ファイルなどのドキュメントやフォルダ）を特定する特定情報（例えば、インデックス情報）と、前記表示データのサムネイルとを取得する取得手段（例えば、カードリーダ６、制御部３０）と、表示させる表示データを利用者に選択させる一覧画像（例えば、コンテンツ一覧画面やしおり一覧画面：図２、図３及び図１５参照）を表示する表示手段（例えば、表示部２）と、前記特定情報を前記表示手段に一覧表示する所定数の表示データを決定する表示データ決定手段（例えば、制御部３０）と、前記表示データ決定手段により決定した所定数の表示データのうちサムネイル表示を行う表示データを、前記所定数より少ない既定数以下の数だけ決定するサムネイル表示決定手段（例えば、制御部３０）と、前記表示データ決定手段により決定した前記所定数の表示データの特定情報の一覧と、前記サムネイル表示決定手段により決定した前記既定数以下の数の表示データのサムネイルの一覧とを含む一覧画像を前記表示手段に表示する表示制御手段（例えば、制御部３０）と、を備えた表示装置。
【０１４６】
このような表示装置によれば、サムネイルによる表示データの識別力が良好となって一覧画像における一覧性を向上させることができる。また、サムネイルを間違って選択することを可及的に減じることができるため、選択操作の操作性を向上させることが可能となる。
【０１４７】
（２）また、上記（１）において、前記表示手段（例えば、表示部２）に一覧表示された各前記表示データ（例えば、画像ファイルや文書ファイルなどのドキュメントやフォルダ）の特定情報（例えば、インデックス情報）の位置にそれぞれ対応した選択キー４３を有しており、前記表示制御手段（例えば、制御部３０）は、操作があった選択キー４３に対応する位置に特定情報が表示されている表示データに基づく画像を、前記表示手段に表示する表示装置。
【０１４８】
このような表示装置によれば、直感的な操作が可能となり、操作性が向上する。
【０１４９】
（３）上記（２）において、前記表示制御手段（例えば、制御部３０）は、前記表示手段（例えば、表示部２）の表示領域のうち前記表示データ（例えば、画像ファイルや文書ファイルなどのドキュメントやフォルダ）の特定情報（例えば、インデックス情報）の表示位置を、当該表示データのサムネイルの表示位置よりも、当該表示データに対応する選択キー４３側にする表示装置。
【０１５０】
このような表示装置によれば、選択キー４３と１対１で対応付けられる特定情報とが互いに近接しているため、視認性が良くなって操作性をさらに向上させることができる。
【０１５１】
（４）上記（１）〜（３）のいずれかにおいて、前記サムネイル表示決定手段（例えば、制御部３０）は、前記表示手段（例えば、表示部２）にサムネイル表示を行う表示データ（例えば、画像ファイルや文書ファイルなどのドキュメントやフォルダ）を、所定条件に基づいて変更する表示装置。
【０１５２】
このような表示装置によれば、サムネイルを、表示部２に最適な状態で自動的に表示することが可能となる。
【０１５３】
（５）上記（１）〜（４）のいずれかにおいて、前記表示制御手段（例えば、制御部３０）は、表示データ（例えば、画像ファイルや文書ファイルなどのドキュメントやフォルダ）のサムネイルの一覧を含む前記一覧画像（例えば、コンテンツ一覧画面やしおり一覧画面：図２、図３及び図１５参照）を前記表示手段（例えば、表示部２）に表示するサムネイル表示モードと、表示データのサムネイルの一覧を含まない前記一覧画像を前記表示手段に表示するサムネイル非表示モードとを選択的に実行する（例えば、モード切替ボタン４１を用いたサムネイル表示切替処理：図１１）表示装置。
【０１５４】
このような表示装置によれば、サムネイル表示の実行するしないを利用者が選択することができ、サムネイル表示を行わない場合、表示装置の制御負荷を軽減することが可能となる。
【０１５５】
（６）上記（４）又は（５）において、前記取得手段（例えば、カードリーダ６、制御部３０）は、サムネイル表示を行う表示データ（例えば、画像ファイルや文書ファイルなどのドキュメントやフォルダ）を決定するためのサムネイル表示設定情報（例えば、文書リストに設定されている情報：図６、しおり情報テーブルに設定されている情報：図７参照）を取得し、前記表示制御手段（例えば、制御部３０）は、前記サムネイル表示設定情報に基づいて、前記表示手段（例えば、表示部２）にサムネイル表示を行う表示データを変更する表示装置。
【０１５６】
このような表示装置によれば、サムネイル表示を行う表示データを簡単に変更することが可能となる。
【０１５７】
（７）上記（６）において、前記サムネイル表示設定情報（例えば、文書リストに設定されている情報：図６、しおり情報テーブルに設定されている情報：図７参照）には、サムネイル表示を行う表示データの表示頻度情報が含まれており、前記表示制御手段（例えば、制御部３０）は、前記表示頻度情報に応じて、前記表示手段（例えば、表示部２）にサムネイル表示を行う表示データを変更する表示装置。
【０１５８】
このような表示装置によれば、表示データがサムネイル表示されるかどうかが、当該表示データを利用者が選択した頻度に応じて自動的に変化するため、利用者による表示装置の使用傾向に応じたサムネイル表示が可能となる。
【０１５９】
（８）上記（１）〜（７）のいずれかにおいて、前記表示制御手段（例えば、制御部３０）は、所定条件に基づき、前記表示手段（例えば、表示部２）に表示するサムネイルのサイズを変更する表示装置。
【０１６０】
このような表示装置によれば、例えば、表示数が多ければ小さいサイズに、表示数が少なければ大きなサイズにするなど、与えられた表示条件の中でサムネイルが見難くなることを防止することが可能となる。
【０１６１】
（９）上記（１）〜（８）のいずれかにおいて、前記表示制御手段（例えば、制御部３０）は、前記一覧画像（例えば、コンテンツ一覧画面やしおり一覧画面：図２、図３及び図１５参照）として、前記サムネイル表示を行う表示データ（例えば、画像ファイルや文書ファイルなどのドキュメントやフォルダ）のサムネイルを、当該表示データの特定情報（例えば、インデックス情報）と関連づけた画像を含む一覧画像を前記表示手段に表示する表示装置。
【０１６２】
このような表示装置によれば、サムネイルとインデックスとの関連が明瞭になり、ひいてはサムネイルと表示データとの関連まで一目瞭然となすことができ、一覧画像の一覧性が向上する。
【０１６３】
（１０）上記（９）において、前記表示制御手段（例えば、制御部３０）は、前記表示データ（例えば、画像ファイルや文書ファイルなどのドキュメントやフォルダ）のサムネイルと特定情報（例えば、インデックス情報）とが線で結ばれた画像を表示手段（例えば、表示部２）に表示する表示装置。
【０１６４】
このような表示装置によれば、サムネイルとインデックスとの関連が明瞭になり、上記（９）の効果がより高まる。
【０１６５】
（１１）上記（９）において、前記表示制御手段（例えば、制御部３０）は、前記表示データ（例えば、画像ファイルや文書ファイルなどのドキュメントやフォルダ）のサムネイルと特定情報（例えば、インデックス情報）とが枠で囲まれた画像を表示手段（例えば、表示部２）に表示する表示装置。
【０１６６】
このような表示装置によれば、サムネイルとインデックスとの関連が明瞭になり、上記（９）の効果がより高まる。
【０１６７】
（１２）上記（１）〜（１１）のいずれかにおいて、前記表示データ（例えば、画像ファイルや文書ファイルなどのドキュメントやフォルダ）のサムネイルと特定情報（例えば、インデックス情報）とを含む画像の色または階調によって、前記表示データのサムネイルと特定情報との関連付けが行われる表示装置。
【０１６８】
このような表示装置によれば、サムネイルとインデックスとの関連が視覚的により明瞭になり、サムネイルと表示データとの関連までも一目瞭然となすことができ、一覧画像の一覧性が向上する。
【０１６９】
（１３）本発明に係る表示制御プログラムは、表示データ（例えば、画像ファイルや文書ファイルなどのドキュメントやフォルダ）を特定する特定情報（例えば、インデックス情報）と、前記表示データのサムネイルとを取得するステップと、前記特定情報を表示手段（例えば、表示部２）に一覧表示する所定数の表示データを決定するステップと、前記所定数の表示データのうちサムネイル表示を行う表示データを、前記所定数より少ない既定数以下の数だけ決定するステップと、前記所定数の表示データの特定情報の一覧と、前記既定数以下の数の表示データのサムネイルの一覧とを含む一覧画像（例えば、コンテンツ一覧画面やしおり一覧画面：図２、図３及び図１５参照）を前記表示手段に表示するステップと、をコンピュータに実行させることを特徴とする。
【０１７０】
このような表示制御プログラムによれば、サムネイルによる表示データの識別力が良好となって一覧画像における一覧性を向上させることができる。また、サムネイルを間違って選択することを可及的に減じることができるため、選択操作の操作性を向上させることが可能となる。
【符号の説明】
【０１７１】
２    表示部
４    操作部
６    カードリーダ
１０    ＣＰＵ
３０    制御部
４１    モード切替ボタン
４３    選択キー
６０    メモリカード
【図１】
2011159021.tif 000003
【図２】
2011159021.tif 000004
【図３】
2011159021.tif 000005
【図４】
2011159021.tif 000006
【図５】
2011159021.tif 000007
【図６】
2011159021.tif 000008
【図７】
2011159021.tif 000009
【図８】
2011159021.tif 000010
【図９】
2011159021.tif 000011
【図１０】
2011159021.tif 000012
【図１１】
2011159021.tif 000013
【図１２】
2011159021.tif 000014
【図１３】
2011159021.tif 000015
【図１４】
2011159021.tif 000016
【図１５】
2011159021.tif 000017